【手続補正書】
【提出日】平成24年2月1日(2012.2.1)
【手続補正１】
【補正対象書類名】特許請求の範囲
【補正対象項目名】全文
【補正方法】変更
【補正の内容】
【特許請求の範囲】
【請求項１】
医療処置で使用するためのステント（２０；１２０）であって、
前記ステントの近位端（２２）に配置されている一連の近位尖端部（２２ａ，２２ｂ；１２２ａ，１２２ｂ）と、
前記ステントの遠位端（２４）に配置されている一連の遠位尖端部（６２ａ，６２ｂ；１６２ａ，１６２ｂ）と、
近位尖端部と遠位尖端部の間に配置されている少なくとも１つの支柱区間（５７，５８，６７，６８；１５７，１５８）であって、前記ステントを圧縮状態から配備状態へ展開させることのできる支柱区間と、を含んでおり、
前記一連の近位尖端部は、第１近位尖端部（２２ａ；１２２ａ）と第２近位尖端部（２２ｂ；１２２ｂ）が交互に配置されて構成されており、隣接する近位尖端部の少なくとも１つの対は異なる特徴を備えている、ステントにおいて、
ａ）前記第１近位尖端部（２２ａ；１２２ａ）のそれぞれは、孔（３１；１３１）を有する端領域（３０；１３０）を含んでおり、前記第２近位尖端部（２２ｂ；１２２ｂ）のそれぞれは、組織に係合するための少なくとも１つの逆棘（４２；１４２）を備えており、逆棘は前記ステントのそれぞれの近位尖端部に配置されているわけではなく、及び／又は
ｂ）前記第１近位尖端部（１２２ａ）のそれぞれは、第１穴（１３１）が設けられている端領域（１３０）を含んでおり、前記第２近位尖端部（１２２ｂ）のそれぞれは、第２穴（１４５）を含んでおり、前記第１近位尖端部のうちの少なくとも１つは、前記ステントの送達時に隣接する第２近位尖端部と同時に一体に拘束され、及び／又は
ｃ）前記第１近位尖端部（１２２ｂ）のそれぞれは、第１穴（１３１）を有する端領域を含み、前記第２近位尖端部（１２２ｂ）のそれぞれは第１領域（１４７）と第２領域（１４８）を含んでおり、前記第１領域には少なくとも１つの一体型逆棘（１４２）が形成され、前記第２領域には第２穴（１４５）が形成されており、逆棘は前記ステントのそれぞれの近位尖端部に配置されているわけではなく、且つ、前記第２近位尖端部のそれぞれは、前記第２近位尖端部の前記第２穴より遠位の場所に形成されている陥凹部分（１４９）を含んでおり、前記第１近位尖端部のうちの少なくとも１つは、前記ステントの送達時に隣接する第２近位尖端部の前記陥凹部分内に入れ子にされる、ステント。
【請求項２】
前記第１近位尖端部のそれぞれは、孔（３１）を有する端領域（３０）を含んでおり、前記第２近位尖端部（２２ｂ）のそれぞれは、組織に係合するための少なくとも１つの逆棘（４２）を備えている、請求項１に記載のステント（２０；１２０）。
【請求項３】
前記第１近位尖端部（２２ａ；１２２ａ）のそれぞれは、前記ステントの近位尖端部が１つおきにそれぞれ一本のトリガワイヤによって直接拘束されるようにして、複数のトリガワイヤ（８４；１８４）によって直接拘束される、請求項２に記載のステント（２０；１２０）。
【請求項４】
前記第２近位尖端部（２２ｂ；１２２ｂ）の前記逆棘（４２）は、前記第２近位尖端部の端領域（４０；１４０）に一体的に形成されている、請求項２又は３に記載のステント（２０；１２０）。
【請求項５】
複数の傾斜支柱区間（５７，５８，６７，６８；１５７，１５８）が、それぞれの近位尖端部（２２ａ，２２ｂ；１２２ａ，１２２ｂ）とそれぞれの遠位尖端部（６２ａ，６２ｂ；１６２ａ，１６２ｂ）の間に配置されている、請求項２、３又は４に記載のステント（２０；１２０）。
【請求項６】
複数の隣接する傾斜支柱区間（５７，５８，６７，６８）が、前記近位尖端部（２２ａ，１２２ａ）と前記遠位尖端部（６２ａ，６２ｂ）の間の移行領域（５０）で接合されており、前記移行領域の表面には少なくとも１つの逆棘（５２）が一体的に形成されている、請求項５に記載のステント（２０）。
【請求項７】
前記遠位尖端部（６２ａ，６２ｂ；１６２ａ，１６２ｂ）のそれぞれは、前記ステントの遠位端（２４；１２４）をグラフト材料に連結するための縫合糸を受け入れることのできる穴（６０；１６１）が設けられている端領域（６０；１６０）を含んでいる、請求項２から６の何れかに記載のステント（２０；１２０）。
【請求項８】
以下の事項、即ち、
前記第１近位尖端部（２２ａ；１２２ａ）のそれぞれが、複数のトリガワイヤ（８４）により直接拘束されること、
前記第２近位尖端部（２２ｂ；１２２ｂ）の前記逆棘（４２；１４２）が、前記第２近位尖端部の端領域（３０；１３０）に一体的に形成されていること、
複数の傾斜支柱区間（５７，５８；６７，６８）が、それぞれの近位尖端部（２２ａ）とそれぞれの遠位尖端部（６２ｂ）の間に配置されていること、及び
前記遠位尖端部（６２ａ，６２ｂ；１６２ａ，１６２ｂ）のそれぞれが、前記ステントの遠位端（２４；１２４）をグラフト材料に連結するための縫合糸を受け入れるための穴（６１；１６１）が設けられている端領域（６０；１６０）を含んでいること、のうち２つ又はそれ以上を含んでいる、請求項２から７の何れかに記載のステント（２０；１２０）。
【請求項９】
前記第１近位尖端部（１２２ａ）のそれぞれは、第１穴（１３１）が設けられている端領域（１３０）を含み、前記第２近位尖端部（１２２ｂ）のそれぞれは、第２穴（１４５）を含んでおり、
前記第１近位尖端部のうちの少なくとも１つは、前記ステントの送達時に隣接する第２近位尖端部と同時に一体に拘束される、請求項１に記載のステント（１２０）。
【請求項１０】
前記第２近位尖端部（１２２ｂ）は、第１領域（１４７）と第２領域（１４８）を含んでおり、前記第１領域には少なくとも１つの一体型逆棘（１４２）が形成され、前記第２領域には前記第２穴（１４５）が形成されている、請求項９に記載のステント（１２０）。
【請求項１１】
前記第２近位尖端部（１２２ｂ）の前記第２穴（１４５）より遠位の場所に形成されている陥凹部分（１４９）を含んでおり、前記第１近位尖端部（１２２ａ）は、前記第２近位尖端部に向けて引っ張られ、前記第２近位尖端部の前記陥凹部分内に入れ子になるように構成されている、請求項１０に記載のステント（１２０）。
【請求項１２】
前記第１近位尖端部（１２２ａ）の近位縁と前記ステントの遠位縁の間の第１長手方向距離（Ｌ１）は、前記第２近位尖端部（１２２ｂ）の前記陥凹部分（１４９）と前記ステントの前記遠位縁の間の第２長手方向距離（Ｌ２）より短い、請求項１１に記載のステント（１２０）。
【請求項１３】
前記第１穴（１３１）は前記第２穴（１４５）より遠位に配置されており、前記ステントの送達時、単一のトリガワイヤ（１８４）が前記第１穴と前記第２穴を通して配置されたとき、前記第１穴と前記第２穴は互いに実質的に長手方向に整列して配置される、請求項９から１２の何れかに記載のステント（１２０）。
【請求項１４】
前記遠位尖端部（１６２ａ，１６２ｂ）のそれぞれは、前記ステントの遠位端（１２４）をグラフト材料に連結するための縫合糸を受け入れるための縫合糸穴（１６１）を有する端領域（１６０）を含んでいる、請求項９から１３の何れかに記載のステント（１２０）。
【請求項１５】
前記遠位尖端部（１６２ａ，１６２ｂ）のそれぞれは、放射線不透過マーカーを受け入れるための造影穴（１９０）を含んでおり、前記造影穴は、前記縫合糸穴（１６１）より近位に配置されていて、前記造影穴は、前記グラフト材料の近位縁と整列するように位置合わせされる、請求項１４に記載のステント（１２０）。
【請求項１６】
前記遠位尖端部（１６２ａ，１６２ｂ）のそれぞれの前記端領域（１６０）に一体的に形成されている少なくとも１つの逆棘（１５２）を含んでいる、請求項１４又は１５に記載のステント（１２０）。
【請求項１７】
以下の事項、即ち、
前記第２近位尖端部（１２２ｂ）が、第１領域（１４７）と第２領域（１４８）を含んでおり、前記第１領域には少なくとも１つの一体型逆棘（１４２）が形成され、前記第２領域には前記第２穴（１４５）が形成されていること、
前記第２近位尖端部の前記第２穴より遠位の場所に、陥凹部分（１４９）が形成されており、前記第１近位尖端部（１２２ａ）は、前記第２近位尖端部に向けて引っ張られて、前記第２近位尖端部の前記陥凹部分内に入れ子になるように構成されていること、
前記第１穴（１３１）が前記第２穴より遠位に配置されており、前記ステントの送達時、単一のトリガワイヤ（１８４）が前記第１穴と前記第２穴を通して配置されたとき、前記第１穴と前記第２穴は互いに実質的に長手方向に整列して配置されること、
前記遠位尖端部（１６２ａ，１６２ｂ）のそれぞれが、前記ステントの遠位端（１２４）をグラフト材料に連結するための縫合糸を受け入れるための縫合糸穴（１６１）が設けられている端領域（１６０）を含んでいること、及び
前記遠位尖端部のそれぞれが、放射線不透過マーカーを受け入れる働きをする造影穴（１９０）を含んでおり、前記造影穴は、前記縫合糸穴より近位に配置されていて、前記造影穴は、前記グラフト材料の近位縁と整列させることができること、のうち２つ又はそれ以上を含んでいる、請求項９から１６の何れかに記載のステント（１２０）。
【請求項１８】
前記第１近位尖端部（１２２ｂ）のそれぞれは、第１穴（１３１）を有する端領域を含んでおり、
前記第２近位尖端部（１２２ｂ）のそれぞれは、第１領域（１４７）と第２領域（１４８）を含んでおり、前記第１領域には少なくとも１つの一体型逆棘（１４２）が形成され、前記第２領域には第２穴（１４５）が形成されており、逆棘は前記ステントのそれぞれの近位尖端部に配置されているわけではなく、且つ、前記第２近位尖端部のそれぞれは、前記第２近位尖端部の前記第２穴より遠位の場所に形成されている陥凹部分（１４９）を含んでおり、
前記第１近位尖端部のうちの少なくとも１つは、前記ステントの送達時に隣接する第２近位尖端部の前記陥凹部分内に入れ子にされる、請求項１に記載のステント（１２０）。
【請求項１９】
前記第１近位尖端部（１２２ａ）の近位縁と前記ステントの遠位縁の間の第１長手方向距離（Ｌ１）は、前記第２近位尖端部（１２２ｂ）の前記陥凹部分（１４９）と前記ステントの前記遠位縁の間の第２長手方向距離（Ｌ２）より短い、請求項１８に記載のステント（１２０）。
【請求項２０】
前記遠位尖端部（１６２ａ，１６２ｂ）のそれぞれは、前記ステントの遠位端をグラフト材料に連結するための縫合糸を受け入れるための縫合糸穴（１６１）を含んでいる、請求項１８又は１９に記載のステント（１２０）。
【請求項２１】
前記遠位尖端部（１６２ａ，１６２ｂ）のそれぞれは、放射線不透過マーカーを受け入れるための造影穴（１９０）を含んでおり、前記造影穴は、前記縫合糸穴（１６１）より近位に配置されていて、前記造影穴は、前記グラフト材料の近位縁と整列するように位置合わせされ、前記ステントは、前記遠位尖端部のそれぞれの端領域（１６０）に一体的に形成されている少なくとも１つの逆棘（１５２）を含んでいる、請求項２０に記載のステント。
【請求項２２】
上記請求項の何れかに記載のステント（２０；１２０）を含んでいる植え込み可能な医療装置。
【請求項２３】
請求項１から２１の何れかに記載のステント（２０；１２０）又は請求項２２に記載の植え込み可能な医療装置が取り付けられている導入器。